(57)【要約】【課題】シート状のレドームのように風によってばたつくことがなく、しかも、従来のハードレドームに比べ横風による受風面積が小さいレドームを提供する。【解決手段】レドーム１０は、パラボラアンテナ１の反射鏡３を保護するために略扁平に形成された反射鏡保護部１４と、反射鏡保護部１４から反射鏡３の鏡面前方に突出された放射器保護部１２とを、硬質の合成樹脂にて一体形成することにより構成される。このため、従来のハードレドームに比べ横風に対する受風面積を小さくして、パラボラアンテナ１の横風に対する耐久性を高めることができる。また、シート状のレドームのように、風により振動してパラボラアンテナの受信特性を劣化させることがない。また、レドーム１０は、全体が犬の顔面形状に対応して形成されており、おもて面には、犬の顔面を表す絵が描画される。このため、パラボラアンテナ１の見栄えをよくすることができる。【選択図】図１
2011176791.tif 000002
【特許請求の範囲】
【請求項１】
反射鏡と該反射鏡から延出されたアームを介して該反射鏡の焦点位置に配置された１次放射器とを有するパラボラアンテナにおいて、前記反射鏡の鏡面側に設けられ、前記１次放射器を含む前記反射鏡の鏡面全域若しくは一部を覆い、前記１次放射器及び前記反射鏡の鏡面を保護するレドームであって、
前記反射鏡の鏡面に対向するよう略扁平に形成された反射鏡保護部と、
該反射鏡保護部から突出して形成され、前記反射鏡の鏡面前方に突出された前記アームと該アームに取り付けられた前記１次放射器とを内部空間に収納可能な放射器保護部と、
を備え、前記反射鏡保護部及び前記放射器保護部を、電波を透過可能な硬質の合成樹脂にて一体形成してなることを特徴とするパラボラアンテナのレドーム。
【請求項２】
当該レドームの周縁には、前記反射鏡周囲の縁部に嵌合可能な嵌合固定部が一体形成されていることを特徴とする請求項１に記載のパラボラアンテナのレドーム。
【請求項３】
前記反射鏡保護部から前記放射器保護部に至る突出形状は、動物の顔面形状若しくは乗り物の正面形状に対応しており、当該レドームのおもて面には、当該突出形状に対応して動物の顔面若しくは乗り物の正面を表す絵が描画されていることを特徴とする請求項１又は請求項２に記載のパラボラアンテナのレドーム。
【請求項４】
前記反射鏡保護部の一部は、動物の顔面外形形状若しくは乗り物の正面外形形状に対応して、前記反射鏡周囲の縁部よりも外側にはみ出していることを特徴とする請求項３に記載のパラボラアンテナのレドーム。
【請求項５】
当該レドームのおもて面には、撥水処理が施されていることを特徴とする請求項１〜請求項４の何れか１項に記載のパラボラアンテナのレドーム。
【請求項６】
反射鏡と該反射鏡から延出されたアームを介して該反射鏡の焦点位置に配置された１次放射器とを有するパラボラアンテナにおいて、
前記反射鏡の鏡面側に、請求項１〜請求項５の何れか１項に記載のレドームが設けられていることを特徴とするパラボラアンテナ。
【発明の詳細な説明】
【技術分野】
【０００１】
本発明は、パラボラアンテナの反射鏡に設けられ、反射鏡前方に配置された１次放射器を含む反射鏡の鏡面側を覆い、これらを保護するパラボラアンテナのレドーム、及び、このレドームを備えたパラボラアンテナに関する。
【背景技術】
【０００２】
従来、パラボラアンテナには、一次放射器や反射鏡の鏡面を風雨・風雪・直射日光等から保護するために、一次放射器を含む反射鏡の鏡面側を覆うレドームが設けられることがある。
【０００３】
そして、このレドームとしては、電波を透過可能な硬質の合成樹脂にてお椀状に形成されたもの（所謂ハードレドーム）や、同じく電波を透過可能な可撓性シートにて形成されたものが知られている（例えば、特許文献１、２等参照）。
【先行技術文献】
【特許文献】
【０００４】
【特許文献１】実開平０１−１７１１０９号公報
【特許文献２】特公平０３−３４２４１号公報
【発明の概要】
【発明が解決しようとする課題】
【０００５】
ハードレドームは、反射鏡の鏡面全体を覆い、一次放射器を反射鏡との間に形成される空間内に収納するものであるため、反射鏡の鏡面及び一次放射器を良好に保護することができる。
【０００６】
しかし、ハードレドームは、反射鏡に取り付けた際、反射鏡の鏡面とは反対側に大きく膨らんだ状態となるので、反射鏡の鏡面前方から吹く風は周囲に分散させて、反射鏡に加わる力を抑制することができるものの、反射鏡の鏡面の中心軸と直交する方向の風（換言すれば横風）に対しては受風面積が大きくなり、横風により反射鏡全体に加わる力が大きくなるので、レドームと反射鏡との接合強度や反射鏡を支持する支持部の強度等、パラボラアンテナ全体の強度を高める必要があるという問題があった。
【０００７】
一方、シート状のレドームは  単に反射鏡を含む一次放射器全体をシートで覆うか、或いは、反射鏡に支持棒を固定し、その支持棒にシートを巻き付けることにより、反射鏡に設けられるため、ハードレドームに比べれば横風に対する受風面積を小さくすることができるものの、風が吹くとシートがばたつき、破損するとか、シートのばたつきにより一次放射器や反射鏡に振動を与え、受信特性を劣化させてしまうという問題があった。
【０００８】
本発明は、こうした問題に鑑みなされたものであり、シート状のレドームのように風によってばたつくことがなく、しかも、従来のハードレドームに比べ横風による受風面積が小さいレドーム、及び、そのレドームを備えたパラボラアンテナを提供することを目的とする。
【課題を解決するための手段】
【０００９】
かかる目的を達成するためになされた請求項１に記載の発明は、
反射鏡と該反射鏡から延出されたアームを介して該反射鏡の焦点位置に配置された１次放射器とを有するパラボラアンテナにおいて、前記反射鏡の鏡面側に設けられ、前記１次放射器を含む前記反射鏡の鏡面全域若しくは一部を覆い、前記１次放射器及び前記反射鏡の鏡面を保護するレドームであって、
前記反射鏡の鏡面に対向するよう略扁平に形成された反射鏡保護部と、
該反射鏡保護部から突出して形成され、前記反射鏡の鏡面前方に突出された前記アームと該アームに取り付けられた前記１次放射器とを内部空間に収納可能な放射器保護部と、
を備え、前記反射鏡保護部及び前記放射器保護部を、電波を透過可能な硬質の合成樹脂にて一体形成してなることを特徴とする。
【００１０】
また、請求項２に記載の発明は、請求項１に記載のパラボラアンテナのレドームにおいて、当該レドームの周縁には、前記反射鏡周囲の縁部に嵌合可能な嵌合固定部が一体形成されていることを特徴とする。
【００１１】
次に、請求項３に記載の発明は、請求項１又は請求項２に記載のパラボラアンテナのレドームにおいて、前記反射鏡保護部から前記放射器保護部に至る突出形状は、動物の顔面形状若しくは乗り物の正面形状に対応しており、当該レドームのおもて面には、当該突出形状に対応して動物の顔面若しくは乗り物の正面を表す絵が描画されていることを特徴とする。
【００１２】
また、請求項４に記載の発明は、請求項３に記載のパラボラアンテナのレドームにおいて、前記反射鏡保護部の一部は、動物の顔面外形形状若しくは乗り物の正面外形形状に対応して、前記反射鏡周囲の縁部よりも外側にはみ出していることを特徴とする。
【００１３】
また次に、請求項５に記載の発明は、請求項１〜請求項４の何れか１項に記載のパラボラアンテナのレドームにおいて、当該レドームのおもて面には、撥水処理が施されていることを特徴とする。
【００１４】
一方、請求項６に記載の発明は、
反射鏡と該反射鏡から延出されたアームを介して該反射鏡の焦点位置に配置された１次放射器とを有するパラボラアンテナにおいて、
前記反射鏡の鏡面側に、請求項１〜請求項５の何れか１項に記載のレドームが設けられていることを特徴とする。
【発明の効果】
【００１５】
請求項１に記載のレドームによれば、上述したハードレドームと同様、電波を透過可能な硬質の合成樹脂にて形成されるが、その形状は、略扁平に形成された反射鏡保護部と、この反射鏡保護部から突出して形成された放射器保護部とを一体形成することにより、反射鏡の鏡面からアームと一次放射器を保護する放射器保護部のみが突出した形状になる。
【００１６】
このため、請求項１に記載のレドームによれば、従来のハードレドームに比べ、反射鏡の鏡面の中心軸と直交する方向の風（つまり横風）に対する受風面積を小さくすることができる。
【００１７】
従って、請求項１に記載のレドームをパラボラアンテナの反射鏡に取り付けた場合、従来のハードレドームのように、横風に対するパラボラアンテナの耐久性を確保するためにレドームと反射鏡との接合強度や反射鏡を支持する支持部の強度を高める必要がなく、レドーム付きパラボラアンテナのコストを低減することができる。
【００１８】
また、請求項１に記載のレドームは、ハードレドームと同様、硬質の合成樹脂にて一体形成されているので、シート状のレドームのように、風によるばたつきにより一次放射器や反射鏡に振動を与えることがなく、その振動によりパラボラアンテナの受信特性を劣化させることはない。
【００１９】
ここで、レドームの材質は、電波を透過可能な合成樹脂であれば何でもよく、例えば、ＰＥＴ、複合ラミネート材、或いは、発泡スチロールを基材としてその表面を高硬度の誘電体皮膜で覆ったもの等、従来からハードレドームに利用されているものを利用すればよい。
【００２０】
また、本発明のレドームは、パラボラアンテナの反射鏡に取り付けて使用されるが、その取り付けは、レドームが風で飛ぶことのないよう、強固にする必要がある。そして、このためには、請求項２に記載のように、レドームの周縁に、反射鏡周囲の縁部に嵌合可能な嵌合固定部を一体形成しておき、この嵌合固定部を反射鏡周囲の縁部に嵌合した状態で固定するようにするとよい。
【００２１】
なお、この場合、嵌合固定部と反射鏡周囲の縁部との固定は、これら各部に穿設した孔にねじやリベット等の固定具を挿通することにより行うようにしてもよく、両面テープや接着剤を利用してこれら各部を直接接着するようにしても良い。
【００２２】
また、本発明のレドームは、反射鏡に取り付けた際、反射鏡の鏡面から放射器保護部だけが突出した形状となるので、鼻の部分が突出した動物の顔面形状、若しくは、正面中央部分が突出した乗り物（例えば、高速鉄道、自動車、飛行機等）の正面形状に似た形状となる。また、特に、パラボラアンテナが衛星放送受信用として一般に利用されているオフセットパラボラアンテナである場合、アームが反射鏡の下方から前方方向に突出されるので、オフセットパラボラアンテナ用のレドームは、動物のうちでも、顎から鼻の部分が前方に突出した哺乳類（犬、猫、ネズミ、クマ、…等）や鳥類（アヒル、九官鳥、…等）の顔面形状に似た形状となる。
【００２３】
このため、本発明のレドームは、請求項３に記載のように、反射鏡保護部から放射器保護部に至る突出形状が動物の顔面形状若しくは乗り物の正面形状に対応するように形成し、そのおもて面には、その突出形状に対応して動物の顔面若しくは乗り物の正面を表す絵を描画するようにしても良い。そして、このようにすれば、パラボラアンテナの見栄えをよくすることができる。また、レドームの形状や絵を、各種キャラクタの顔にすることにより、宣伝効果を持たせることもできる。
【００２４】
なお、このように、レドームの形状を動物の顔面形状若しくは乗り物の正面形状に対応させる場合には、請求項４に記載のように、反射鏡保護部の一部が、動物の顔面外形形状若しくは乗り物の正面外形形状に対応して、反射鏡周囲の縁部よりも外側にはみ出すようにしてもよい。
【００２５】
つまり、犬やネズミを正面から見ると、耳の部分が突出していることから、耳の部分が反射鏡周囲の縁部から外側にはみ出すように、レドームの反射鏡保護部を形成してもよい。
【００２６】
同様に、乗り物の内、飛行機を正面から見ると翼の部分が突出しており、二輪車を正面から見るとハンドル部分が突出していることから、こうした突出部分を有する乗り物の場合にも、その突出部分が反射鏡周囲の縁部から外側にはみ出すように、レドームの反射鏡保護部を形成してもよい。
【００２７】
また、本発明のレドームは、屋外で使用されることから、雨水と埃とで汚れが付着し易い。そこで、請求項５に記載のように、レドームのおもて面には撥水処理を施すとよい。そして、このようにすれば、レドームのおもて面に雨水が付着して埃がたまり、レドームが汚くなるのを防止できる。
【００２８】
一方、請求項６に記載のパラボラアンテナによれば、反射鏡の鏡面側に、上述した本発明のレドームが設けられていることから、レドームにより一次放射器や反射鏡を保護することができるだけでなく、風（特に横風）に強く、受信特性が安定したパラボラアンテナを提供することができる。
【００２９】
また特に、反射鏡に設けるレドームを、請求項３又は請求項４に記載のレドームにすれば、単にパラボラアンテナの性能（耐久性等）を向上できるだけでなく、パラボラアンテナの見栄えをよくすることができる。
【図面の簡単な説明】
【００３０】
【図１】レドームが取り付けられるパラボラアンテナ全体の構成を表す説明図である。
【図２】レドームの内部構造を表す説明図であり、（ａ）はその断面図、（ｂ）はレドームを裏側から見た背面図である。
【図３】レドームの反射鏡への取付部分を表す説明図である。
【図４】おもて面に動物の絵を描いたレドームの例を表す説明図であり、（ａ）はそのレドームの側面図、（ｂ）はそのレドームをおもて側からみた正面図である。
【図５】レドームの変形例を表す説明図である。
【図６】反射鏡保護部の一部が反射鏡周囲にはみ出すように形成されたレドームの構成を表す説明図である。
【図７】突出形状を電車の正面形状とし、おもて面に電車正面の絵を描いたレドームの例を表す説明図であり、（ａ）はそのレドームの側面図、（ｂ）はそのレドームをおもて側からみた正面図である。
【発明を実施するための形態】
【００３１】
以下に本発明の実施形態を図面と共に説明する。
図１に示すように、本実施形態のパラボラアンテナ１は、放送衛星（ＢＳ）や通信衛星（ＣＳ）からの放送信号を受信するオフセット型のパラボラアンテナであり、放送信号の電波を周波するための反射鏡３と、この反射鏡３の裏面に設けられて反射鏡３を支柱６等に固定するための取付金具５と、この取付金具５から反射鏡３の前面（つまり、鏡面）の焦点付近まで延出されたアーム７と、アーム７の先端に固定されることによって反射鏡３の焦点位置に配置され、反射鏡３により集波された放送信号の電波を受信する一次放射器９とから構成されている。
【００３２】
なお、一次放射器９には、十数ＧＨｚ帯の放送信号を数ＧＨｚ帯の中間周波信号にダウンコンバートするコンバータが組み込まれており、一次放射器９からは、そのダウンコンバート後の中間周波信号が同軸ケーブル８を介して出力される。
【００３３】
また、反射鏡３の周囲端縁部分は、反射鏡３の鏡面から裏面側へと折り返されており、その折返し部３ａには、反射鏡３の周囲全域にわたって、レドーム１０を固定するための取付孔４が多数分散して設けられている。
【００３４】
一方、レドーム１０は、反射鏡３の折返し部３ａに嵌合可能な内径を有する嵌合固定部１６と、この嵌合固定部１６を反射鏡３の折返し部３ａに嵌合させて固定した際、反射鏡３の鏡面に対向するよう略扁平に形成された反射鏡保護部１４と、この反射鏡保護部１４から反射鏡３の鏡面前方に突出するように形成され、反射鏡３の鏡面前方に突出されたアーム７とこのアーム７の先端に取り付けられた一次放射器９とを内部に収納可能な放射器保護部１２とを備える。
【００３５】
レドーム１０は、例えば、低誘電損失で高強度な複合ラミネート材からなる硬質の合成樹脂にて、嵌合固定部１６、反射鏡保護部１４及び放射器保護部１２を一体形成することにより構成されており、図２に示すように、反射鏡３の鏡面との対向面側は中空になっている。そして、その中空部分の開口端縁となる嵌合固定部１６には、反射鏡の折返し部３ａに形成された取付孔４と対応する位置に、固定用の孔（固定孔）１８が穿設されている。
【００３６】
なお、レドームを構成するのに適した複合ラミネート材としては、例えば、特表２００９−５０４４５５号等に記載されており、従来から知られているので、その構成については説明を省略する。
【００３７】
また、反射鏡３の裏面側から反射鏡３の下端部分を通って反射鏡３の焦点位置まで延びており、レドーム１０を反射鏡３の鏡面側から被せると、反射鏡３の下端部分を通るアーム７に当たることから、放射器保護部１２の下端部分には、アーム７を通すための切り欠き１２ａが形成されている。
【００３８】
このように構成されたレドーム１０は、放射器保護部１２の内部空間内にアーム７及び一次放射器９が収まるように反射鏡３の鏡面側から被せることにより、嵌合固定部１６内に反射鏡３の折返し部３ａを嵌合させることができる。
【００３９】
そして、レドーム１０の嵌合固定部１６及び反射鏡３の折返し部３ａには、対となる固定孔１８及び取付孔４が多数分散して形成されているので、図３に例示するように、各孔にねじ２２（図ではボルト）を通してナット等で締め付けることで、レドーム１０を反射鏡３にしっかりと固定することができる。
【００４０】
また、本実施形態のレドーム１０は、反射鏡３の下方から鏡面前方に向けてアーム７が突出されたオフセット型のパラボラアンテナ用であるので、アーム７及び一次放射器９を保護する放射器保護部１２だけが前方に突出した形状になる。
【００４１】
そこで、本実施形態のレドーム１０においては、図４に示すように、その突出部分が動物（詳しくは犬）の口から鼻の部分に対応し、レドーム１０全体が犬の顔面形状になるよう、反射鏡保護部１４から放射器保護部１２に至る形状が調整され、しかも、レドーム１０のおもて面には、犬の顔を表す絵が描画されている。
【００４２】
また、レドーム１０のおもて面は、犬の絵を描画した後、撥水処理が施される。
以上説明したように、本実施形態のレドーム１０は、パラボラアンテナ１の反射鏡３を保護するために略扁平に形成された反射鏡保護部１４と、反射鏡保護部１４から反射鏡３の鏡面前方方向に突出された放射器保護部１２とを備え、反射鏡３に取り付けた際には、その鏡面から放射器保護部１２だけが突出した形状となるので、従来のハードレドームに比べ、横風に対する受風面積を小さくすることができる。
【００４３】
よって、本実施形態のレドーム１０によれば、パラボラアンテナ１の横風に対する耐久性を高めるために、レドーム１０と反射鏡３との接合強度や反射鏡３を支持する支持部（取付金具５や支柱６）の強度を高める必要がない。このため、本実施形態のレドーム１０を用いれば、レドーム付きパラボラアンテナのコストを低減できる。
【００４４】
また、本実施形態のレドーム１０は、従来のハードレドームと同様、硬質の合成樹脂にて一体形成されているので、シート状のレドームのように、風によるばたつきにより一次放射器９や反射鏡３に振動を与えることがなく、その振動によりパラボラアンテナの受信特性を劣化させることはない。
【００４５】
また、本実施形態のレドーム１０は、全体が犬の顔面形状に対応して形成されており、そのおもて面には、犬の顔面を表す絵が描画されることから、パラボラアンテナ１に取り付けた際、その見栄えをよくすることができ、犬の絵により宣伝効果を持たせることもできる。
【００４６】
また、レドーム１０のおもて面は、撥水処理が施されているので、絵が劣化したり、汚れるのを防止することができる。
以上、本発明の一実施形態について説明したが、本発明は、上記実施形態に限定されるものではなく、本発明の要旨を逸脱しない範囲内にて、種々の態様をとることができる。
【００４７】
例えば、上記実施形態では、レドーム１０の反射鏡保護部１４は、反射鏡３の外周の端縁部分（換言すれば折返し部３ａ）よりも鏡面の前方側に配置されるようになっているが、例えば、図５に示すように、反射鏡保護部１４において、放射器保護部１２から離れた部分は、反射鏡３の鏡面に沿うように形成し、その裏面を、両面テープや接着剤を使って反射鏡３の鏡面に接着するようにしても良い。
【００４８】
またこのように反射鏡保護部１４の一部を反射鏡３の鏡面に沿わせ、反射鏡３の鏡面に接着するようにした場合には、反射鏡３の全域を反射鏡保護部１４にて保護するようにする必要はなく、反射鏡保護部１４において、放射器保護部１２から離れた部分を削除するようにしてもよい。
【００４９】
また、上記実施形態では、レドーム１０の嵌合固定部１６を、反射鏡３の折返し部３ａに嵌合させた後、ねじ２２を使って、レドーム１０を反射鏡３に固定するものとして説明したが、この固定には、リベット等の他の固定具を利用してもよく、或いは、接着剤や両面テープを利用するようにしてもよい。
【００５０】
一方、上記実施形態では、レドーム１０の外周は反射鏡３の外周と略一致しており、レドーム１０のおもて面に描画される絵は、反射鏡３の開口面内に収まるようになっているが（図４）、例えば、図６に示すように、犬の耳の部分が、反射鏡３の開口面から外に飛び出すように、レドーム１０の反射鏡保護部１４の一部を、動物の顔面外形形状に対応して、反射鏡３周囲の縁部（上記実施形態では折返し部）よりも外側にはみ出すようにしてもよい。
【００５１】
この場合、レドーム１０において、反射鏡３の周囲にはみ出した部分は、破損し易くなるが、パラボラアンテナ１全体の形状を、レドーム１０のおもて面に描画する動物（キャラクタ）の形状にすることにより、より見栄えを良くし、宣伝効果を高めることができる。
【００５２】
また、上記実施形態では、レドーム１０は、複合ラミネート材を用いて構成するものとして説明したが、例えば、発泡スチロールの表面に高硬度の誘電体薄膜を形成したもの（例えば、特許第３８４５４２６号公報参照）や、ＰＥＴ等、硬質で電波を透過可能な合成樹脂であれば利用することができる。
【００５３】
また更に、上記実施形態では、レドーム１０は、犬の画面形状に対応して形成し、そのおもて面に犬の絵を描画するものとして説明したが、レドームの形状やそのおもて面に描画する絵は、犬以外にも、猫、ネズミ、クマ、アヒル、九官鳥等、他の動物の顔に対応させてもよく、或いは、架空人物や擬人化した動物等、各種キャラクタの顔に対応させてもよい。
【００５４】
また、図７に例示するように、レドーム１０は、その突出形状を乗り物の正面形状（図７は電車の先頭車両の正面形状）とし、そのおもて面に、乗り物の正面の絵（図７は電車の先頭車両の絵）を描画するようにしてもよい。
【００５５】
なお、図７は、レドーム１０の突出形状を、電車の先頭車両の正面形状にしたものを表しているが、その突出形状としては、自動車の正面形状であっても、飛行機の正面形状であってもよい。
【００５６】
また、図７に示す電車のような鉄道車両の場合、新幹線やリニアモーターカー等の高速鉄道の先頭車両の形状にすると、中央部をより突出させることができるので、横風に対する受風面積を小さくすることができる。
【００５７】
また、レドーム１０を乗り物の形状にする場合、飛行機の翼や二輪車のハンドル等、乗り物を正面から見たときに上下左右に突出する部分があるときには、図６に示したものと同様、その突出部分を、レドーム１０の反射鏡保護部１４の一部を反射鏡３周囲の縁部よりも外側に突出させることで形成してもよい。
【符号の説明】
【００５８】
１…パラボラアンテナ、３…反射鏡、３ａ…折返し部、４…取付孔、５…取付金具、６…支柱、７…アーム、８…同軸ケーブル、９…一次放射器、１０…レドーム、１２…放射器保護部、１２ａ…切り欠き、１４…反射鏡保護部、１６…嵌合固定部、１８…固定孔。
【図１】
2011176791.tif 000003
【図２】
2011176791.tif 000004
【図３】
2011176791.tif 000005
【図４】
2011176791.tif 000006
【図５】
2011176791.tif 000007
【図６】
2011176791.tif 000008
【図７】
2011176791.tif 000009